【手続補正書】
【提出日】平成27年11月11日(2015.11.11)
【手続補正１】
【補正対象書類名】明細書
【補正対象項目名】００１１
【補正方法】変更
【補正の内容】
【００１１】
上記目的を達成するために、請求項１記載の撮像装置は、レンズユニットと、撮像素子と、前記撮像素子が実装される回路基板と、前記撮像素子に直接固定される固定部材と、フレキシブル基板と、前記回路基板に実装される第１のコネクタと、前記フレキシブル基板に実装される第２のコネクタと、前記固定部材に固定される保護部材とを有し、前記固定部材の位置は前記レンズユニットに対して調整自在であり、前記第１のコネクタが前記第２のコネクタに接続され、前記カバー部材が前記固定部材に固定される場合、前記カバー部材と前記フレキシブル基板との間に隙間が設けられ、前記隙間は、前記第１のコネクタから前記第２のコネクタを抜くための移動距離よりも短いことを特徴とする。
【手続補正２】
【補正対象書類名】明細書
【補正対象項目名】００１２
【補正方法】変更
【補正の内容】
【００１２】
また、上記目的を達成するために、請求項６記載の撮像装置は、撮像素子と、前記撮像素子が実装される回路基板と、前記撮像素子に固定される固定部材と、前記回路基板に実装されるコネクタと、前記コネクタに接続可能な接続部を有するフレキシブル基板とを有し、前記固定部材には、前記コネクタ接続部の外れを防止するための規制部が一体的に形成され、該規制部は、前記固定部材の一方端から延伸し、前記固定部材の背面に対向するように、折り曲げられ、前記接続部が前記コネクタに接続され、且つ前記コネクタが前記接続部と接続された状態で前記規制部と前記固定部材の前記背面との間に位置する場合、前記規制部は前記コネクタと前記接続部の外れを防止することを特徴とする。
さらに、上記目的を達成するために、請求項１４記載の撮像装置は、撮像素子と、前記撮像素子が実装される回路基板と、前記撮像素子に固定される固定部材と、前記回路基板に実装されるコネクタと、前記コネクタに接続可能な接続部を有するフレキシブル基板と、前記固定部材に固定されるカバー部材とを有し、前記接続部が前記コネクタに接続され、且つ前記カバー部材が前記固定部材に固定される場合、前記カバー部材と前記コネクタの間に隙間が設けられ、前記隙間は、前記コネクタから前記フレキシブル基板を抜くための移動距離よりも短いことを特徴とする。
【手続補正３】
【補正対象書類名】特許請求の範囲
【補正対象項目名】全文
【補正方法】変更
【補正の内容】
【特許請求の範囲】
【請求項１】
レンズユニットと、
撮像素子と、
前記撮像素子が実装される回路基板と、
前記撮像素子に直接固定される固定部材と、
フレキシブル基板と、
前記回路基板に実装される第１のコネクタと、
前記フレキシブル基板に実装される第２のコネクタと、
前記固定部材に固定される保護部材とを有し、
前記固定部材の位置は前記レンズユニットに対して調整自在であり、
前記第１のコネクタが前記第２のコネクタに接続され、前記カバー部材が前記固定部材に固定される場合、前記カバー部材と前記フレキシブル基板との間に隙間が設けられ、
前記隙間は、前記第１のコネクタから前記第２のコネクタを抜くための移動距離よりも短いことを特徴とする撮像装置。
【請求項２】
前記撮像素子、前記回路基板及び前記固定部材の位置は、前記レンズユニットに対して一体的に調整可能であることを特徴とする請求項１記載の撮像装置。
【請求項３】
前記第１のコネクタ及び前記第２のコネクタは、前記回路基板の厚み方向に抜き差しされるよう構成され、
前記第１のコネクタと前記第２のコネクタの抜き方向において、前記隙間は、前記第１のコネクタと前記第２のコネクタの有効嵌合長より短いことを特徴とする請求項１または２記載の撮像装置。
【請求項４】
前記第１のコネクタ及び第２のコネクタは、前記回路基板の厚み方向に抜き差しされるよう構成され、
前記第１のコネクタと前記第２のコネクタの外れを防止するように前記隙間内に弾性部材が配置されることを特徴とする請求項１または２記載の撮像装置。
【請求項５】
前記保護部材は、前記回路基板に実装される電子部品の少なくとも１つに対して熱接続される部分を有することを特徴とする請求項１乃至４のいずれか１項に記載の撮像装置。
【請求項６】
撮像素子と、
前記撮像素子が実装される回路基板と、
前記撮像素子に固定される固定部材と、
前記回路基板に実装されるコネクタと、
前記コネクタに接続可能な接続部を有するフレキシブル基板とを有し、
規制部が前記固定部材の一方端から延伸し、前記固定部材の背面に対向するように、折り曲げられ、
前記接続部が前記コネクタに接続され、且つ前記コネクタが前記接続部と接続された状態で前記規制部と前記固定部材の前記背面との間に位置する場合、前記規制部は、前記コネクタと前記接続部の外れを防止することを特徴とする撮像装置。
【請求項７】
前記撮像素子、前記回路基板及び前記固定部材の位置は、一体的に調整可能であることを特徴とする請求項６記載の撮像装置。
【請求項８】
前記コネクタは前記回路基板の厚み方向に抜き差しされるよう構成され、
前記接続部及び前記コネクタが前記規制部と前記固定部材の前記背面との間に位置する場合、前記規制部と前記接続部の間に隙間が設けられ、
前記隙間は、前記コネクタの抜き方向において、前記コネクタの有効嵌合長よりも短いことを特徴とする請求項７記載の撮像装置。
【請求項９】
前記コネクタと前記接続部の外れを防止するように前記隙間内に弾性部材が配置されることを特徴とする請求項８記載の撮像装置。
【請求項１０】
前記コネクタは、コネクタ本体と、該コネクタ本体に対して回動操作されることにより、前記コネクタ本体に挿入される前記接続部を受ける操作部材とを有し、
前記接続部が前記コネクタに接続され、且つ前記コネクタが前記接続部が接続された状態で前記規制部と前記固定部材の前記背面との間に位置する場合、前記規制部と前記コネクタの間に隙間が設けられることを特徴とする請求項７記載の撮像装置。
【請求項１１】
前記操作部材の移動距離が前記隙間と同じになるまで前記操作部材を回動させたとしても、前記接続部は前記コネクタ本体に保持されることを特徴とする請求項１０記載の撮像装置。
【請求項１２】
前記操作部材の回動を妨げるように前記隙間内に弾性部材を配置することを特徴とする請求項１０記載の撮像装置。
【請求項１３】
前記規制部と前記コネクタとの間に電磁波吸収体を配置することを特徴とする請求項６記載の撮像装置。
【請求項１４】
撮像素子と、
前記撮像素子が実装される回路基板と、
前記撮像素子に固定される固定部材と、
前記回路基板に実装されるコネクタと、
前記コネクタに接続可能な接続部を有するフレキシブル基板と、
前記固定部材に固定されるカバー部材とを有し、
前記接続部が前記コネクタに接続され、且つ前記カバー部材が前記固定部材に固定される場合、前記カバー部材と前記コネクタの間に隙間が設けられ、
前記隙間は、前記コネクタから前記フレキシブル基板を抜くための移動距離よりも短いことを特徴とする撮像装置。
【請求項１５】
前記コネクタは、コネクタ本体と、該コネクタ本体に対して回動操作されることにより、前記コネクタ本体に挿入される前記接続部を受ける操作部材とを有し、
前記接続部が前記コネクタに接続され、且つ前記カバー部材が前記固定部材に固定される場合、前記カバー部材は前記操作部材の回動を妨げることを特徴とする請求項１４記載の撮像装置。
【請求項１６】
前記接続部は、前記操作部材の移動距離が前記隙間と同じになるまで前記操作部材を回動操作させたとしても、前記コネクタ本体に保持されることを特徴とする請求項１５記載の撮像装置。
【請求項１７】
前記操作部材の回動を妨げるように前記隙間内に弾性部材を配置することを特徴とする請求項１５または１６に記載の撮像装置。